(57)【要約】  かご（１）は、例えばドア（１１）、電動機（１２）、ファン（１５）、ベルト（１６）、及び制御盤（１８）を備える。電動機（１２）は、出力軸（１２ａ）を回転することによって、ドア（１１）を駆動するための力を発生させる。ファン（１５）は、プーリ（１４）に設けられる。ベルト（１６）は、出力軸（１２ａ）の回転をプーリ（１４）に伝える。制御盤（１８）に、通気口（３１ａ）が形成される。ファン（１５）は、プーリ（１４）が回転することにより通気口（３１ａ）を通過する気流を発生させる。
2019234844.tif 000002
【特許請求の範囲】
【請求項１】
ドアと、
出力軸を回転することによって、前記ドアを駆動するための力を発生させる電動機と、
回転体に設けられたファンと、
前記出力軸の回転を前記回転体に伝える伝達手段と、
通気口が形成された制御盤と、
を備え、
前記ファンは、前記回転体が回転することにより前記通気口を通過する気流を発生させるエレベーターのかご。
【請求項２】
前記ドア及び前記伝達手段を連結する連結部材を更に備え、
前記回転体の回転軸は、前記電動機の前記出力軸と平行であり、
前記伝達手段は、前記出力軸と前記回転体とに巻き掛けられたベルトである請求項１に記載のエレベーターのかご。
【請求項３】
ドアと、
出力軸を回転することによって、前記ドアを駆動するための力を発生させる電動機と、
前記出力軸に設けられたファンと、
通気口が形成された制御盤と、
を備え、
前記ファンは、前記出力軸が回転することにより前記通気口を通過する気流を発生させるエレベーターのかご。
【請求項４】
前記出力軸に平行な回転軸を有するプーリと、
前記出力軸及び前記プーリに巻き掛けられたベルトと、
前記ドア及び前記ベルトを連結する連結部材と、
を更に備えた請求項３に記載のエレベーターのかご。
【請求項５】
前記ファンは、前記通気口に対向するように配置された請求項１から請求項４の何れか一項に記載のエレベーターのかご。
【請求項６】
前記制御盤は、前記電動機を駆動するための半導体素子を備えた請求項１から請求項５の何れか一項に記載のエレベーターのかご。
【発明の詳細な説明】
【技術分野】
【０００１】
この発明は、エレベーターのかごに関する。
【背景技術】
【０００２】
特許文献１に、エレベーターのかごが記載されている。特許文献１に記載されたかごは、制御盤を備える。また、かごは、制御盤を冷却するためのファンを備える。ファンが回転することによって気流が発生し、制御盤の内部が冷却される。
【先行技術文献】
【特許文献】
【０００３】
【特許文献１】日本特開２００２−２２０１６６号公報
【発明の概要】
【発明が解決しようとする課題】
【０００４】
特許文献１に記載されたかごでは、ファンを駆動するための専用の装置が必要になる。このため、制御盤を冷却するための機構が複雑になるといった問題があった。【０００５】
この発明は、上述のような課題を解決するためになされた。この発明の目的は、簡単な機構によって制御盤を冷却できるエレベーターのかごを提供することである。
【課題を解決するための手段】
【０００６】
この発明に係るエレベーターのかごは、ドアと、出力軸を回転することによって、ドアを駆動するための力を発生させる電動機と、回転体に設けられたファンと、上記出力軸の回転を回転体に伝える伝達手段と、通気口が形成された制御盤と、を備える。ファンは、回転体が回転することにより通気口を通過する気流を発生させる。【０００７】
この発明に係るエレベーターのかごは、ドアと、出力軸を回転することによって、ドアを駆動するための力を発生させる電動機と、出力軸に設けられたファンと、通気口が形成された制御盤と、を備える。ファンは、出力軸が回転することにより通気口を通過する気流を発生させる。
【発明の効果】
【０００８】
この発明に係るエレベーターのかごは、例えばドア、電動機、ファン、伝達手段、及び制御盤を備える。電動機は、出力軸を回転することによって、ドアを駆動するための力を発生させる。ファンは、回転体に設けられる。伝達手段は、上記出力軸の回転を回転体に伝える。制御盤に通気口が形成される。ファンは、回転体が回転することにより通気口を通過する気流を発生させる。この発明に係るエレベーターのかごであれば、簡単な機構によって制御盤を冷却できる。
【図面の簡単な説明】
【０００９】
【図１】実施の形態１におけるかごを備えたエレベーター装置の例を示す図である。
【図２】かごを示す正面図である。
【図３】かごを示す平面図である。
【図４】実施の形態２におけるかごの例を示す正面図である。
【図５】実施の形態２におけるかごの例を示す平面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、実施の形態１におけるかご１を備えたエレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１２】
主ロープ４は、巻上機５の駆動綱車６に巻き掛けられる。巻上機５は、制御装置７によって制御される。例えば、制御装置７は、駆動綱車６の回転及び停止を制御する。かご１は、駆動綱車６の回転に応じて移動する。かご１が停止する乗場８に、ドア９が設けられる。
【００１３】
かご１は、例えばかご室１０、ドア１１、及び電動機１２を備える。かご室１０は、乗客が乗るための空間を形成する。ドア１１は、電動機１２によって駆動される。乗場８に、ドア９を駆動するための装置は設けられていない。乗場８のドア９は、かご１のドア１１を介して電動機１２によって駆動される。
【００１４】
図２は、かご１を示す正面図である。図３は、かご１を示す平面図である。かご１は、かご室１０、ドア１１、及び電動機１２の他に、例えばレール１３、プーリ１４、ファン１５、ベルト１６、連結部材１７ａ、連結部材１７ｂ、及び制御盤１８を備える。図２は、ドア１１が両開き方式である例を示す。ドア１１は、例えばパネル２１、パネル２２、ハンガー２３、ローラ２４、ハンガー２５、及びローラ２６を備える。
【００１５】
かご室１０に、出入口１０ａが形成される。パネル２１及びパネル２２によって出入口１０ａが開閉される。ハンガー２３は、パネル２１に設けられる。ハンガー２３は、パネル２１から上方に突出する。ハンガー２３に、ローラ２４が回転可能に設けられる。ローラ２４の回転軸は水平に配置される。ハンガー２５は、パネル２２に設けられる。ハンガー２５は、パネル２２から上方に突出する。ハンガー２５に、ローラ２６が回転可能に設けられる。ローラ２６の回転軸は、ローラ２４の回転軸に平行である。ローラ２６の回転軸は、水平に配置される。
【００１６】
レール１３は、出入口１０ａの上方に配置される。レール１３は、出入口１０ａの上方を横切るように水平に配置される。レール１３の上面に、ローラ２４が載せられる。ローラ２４がレール１３の上面を転がることにより、パネル２１の移動が案内される。同様に、レール１３の上面に、ローラ２６が載せられる。ローラ２６がレール１３の上面を転がることにより、パネル２２の移動が案内される。
【００１７】
電動機１２は、かご室１０の上面に設けられる。電動機１２は、出力軸１２ａを有する。電動機１２は、出力軸１２ａを回転することにより、ドア１１を駆動するための力を発生させる。電動機１２の出力軸１２ａは、例えば、レール１３の一方の端部１３ａの上方に配置される。出力軸１２ａは、水平に配置される。出力軸１２ａは、例えばローラ２４の回転軸及びローラ２６の回転軸に平行に配置される。
【００１８】
プーリ１４は、かご室１０を形成する部材に回転可能に設けられる。プーリ１４は、例えば、レール１３のもう一方の端部１３ｂの上方に配置される。プーリ１４の回転軸は、電動機１２の出力軸１２ａに平行に配置される。即ち、プーリ１４の回転軸は、水平に配置される。ファン１５は、プーリ１４に設けられる。このため、プーリ１４が回転するとファン１５は回転する。プーリ１４が回転していなければ、ファン１５は回転しない。
【００１９】
ベルト１６は、電動機１２の出力軸１２ａとプーリ１４とに巻き掛けられる。ベルト１６により、出力軸１２ａの回転がプーリ１４に伝えられる。プーリ１４は、かご室１０に設けられた回転体の一例である。ベルト１６は、出力軸１２ａの回転を回転体に伝える手段の一例である。
【００２０】
本実施の形態に示す例では、電動機１２の出力軸１２ａ及びプーリ１４の回転軸が水平に配置される。このため、出力軸１２ａとプーリ１４とに巻き掛けられたベルト１６は、上部分１６ａと下部分１６ｂとを備える。連結部材１７ａは、ベルト１６の上部分１６ａとパネル２１とを連結する。連結部材１７ｂは、ベルト１６の下部分１６ｂとパネル２２とを連結する。
【００２１】
制御盤１８は、かご１に備えられた機器を制御する。例えば、制御盤１８は、電動機１２を制御する。制御盤１８は、かご１に備えられた照明器具１９を制御しても良い。制御盤１８は、他の機器を制御しても良い。
【００２２】
制御盤１８は、かご室１０の上面に設けられる。制御盤１８は、例えば電動機１２よりファン１５に近い位置に配置される。制御盤１８は、例えば筐体３１を備える。筐体３１に、通気口３１ａ及び通気口３１ｂが形成される。ファン１５は、通気口３１ａに対向するように配置される。
【００２３】
エレベーター装置では、例えばかご１が乗場８に停止すると、制御盤１８によって電動機１２が駆動される。これにより、例えば電動機１２の出力軸１２ａがＢ方向に回転する。電動機１２の出力軸１２ａがＢ方向に回転すると、ベルト１６が移動する。ベルト１６の上部分１６ａは、図２において右側に移動する。ベルト１６の下部分１６ｂは、図２において左側に移動する。これにより、ドア１１が開く。
【００２４】
電動機１２の出力軸１２ａがＢ方向に回転すると、プーリ１４もＢ方向に回転する。プーリ１４が回転することにより、ファン１５が回転する。上述したように、ファン１５は、通気口３１ａに対向する。このため、例えばプーリ１４がＢ方向に回転すると、ファン１５から通気口３１ａに向けて風が送られる。プーリ１４がＢ方向に回転することにより、筐体３１の外の空気が通気口３１ａから筐体３１の内部に入る。また、筐体３１の内部の空気が通気口３１ｂから筐体３１の外に出る。即ち、ファン１５は、プーリ１４が回転することにより、通気口３１ａを通過する気流を発生させる。
【００２５】
一方、電動機１２の出力軸１２ａがＣ方向に回転すると、ベルト１６の上部分１６ａは、図２において左側に移動する。ベルト１６の下部分１６ｂは、図２において右側に移動する。これにより、ドア１１が閉じられる。
【００２６】
電動機１２の出力軸１２ａがＣ方向に回転すると、プーリ１４もＣ方向に回転する。プーリ１４が回転することにより、ファン１５が回転する。例えば、プーリ１４がＣ方向に回転すると、通気口３１ａからファン１５に向かう気流が発生する。このため、筐体３１の外の空気が通気口３１ｂから筐体３１の内部に入る。また、筐体３１の内部の空気が通気口３１ａから筐体３１の外に出る。ドア１１が閉じられる時にも、ファン１５は、通気口３１ａを通過する気流を発生させる。
【００２７】
実施の形態１に示す例では、ファン１５が回転することによって制御盤１８が冷却される。ファン１５を駆動するための力は、電動機１２から供給される。ファン１５を駆動するための専用の電源回路及び制御回路はかご１に備えられていない。このため、実施の形態１に示す例であれば、簡単な機構によって制御盤１８を冷却することができる。
【００２８】
実施の形態１に示す例では、ドア１１が開く時及び閉じる時にファン１５が回転する。例えば、電動機１２を駆動するための半導体素子３２を制御盤１８が備える場合、半導体素子３２が発熱する時にファン１５を回転させることができる。このため、実施の形態１に示す例は、制御盤１８が半導体素子３２を備える場合に好適である。
【００２９】
本実施の形態に示す例では、ファン１５がプーリ１４に設けられる例について説明した。これは一例である。ファン１５は、プーリ１４以外の回転体に設けられても良い。かかる場合、かご１は、電動機１２の出力軸１２ａの回転をこの回転体に伝える手段を更に備える。このような例でも、ファン１５を駆動するための力を電動機１２から供給することができる。
【００３０】
実施の形態２．
図４は、実施の形態２におけるかご１の例を示す正面図である。図５は、実施の形態２におけるかご１の例を示す平面図である。本実施の形態では、実施の形態１で開示した例と相違する点について説明する。本実施の形態で説明しない点については、実施の形態１で開示した何れかの例と同様である。
【００３１】
本実施の形態に示す例では、かご１は、例えばかご室１０、ドア１１、電動機１２、レール１３、プーリ１４、ファン１５、ベルト１６、連結部材１７ａ、連結部材１７ｂ、及び制御盤１８を備える。
【００３２】
ファン１５は、電動機１２の出力軸１２ａに設けられる。このため、出力軸１２ａが回転するとファン１５は回転する。出力軸１２ａが回転していなければ、ファン１５は回転しない。
【００３３】
制御盤１８は、かご室１０の上面に設けられる。制御盤１８は、例えばプーリ１４よりファン１５に近い位置に配置される。ファン１５は、筐体３１に形成された通気口３１ａに対向するように配置される。
【００３４】
本実施の形態に示す例でも、例えばかご１が乗場８に停止すると、制御盤１８によって電動機１２が駆動される。これにより、例えば電動機１２の出力軸１２ａがＢ方向に回転する。電動機１２の出力軸１２ａがＢ方向に回転することにより、ドア１１が開く。
【００３５】
電動機１２の出力軸１２ａがＢ方向に回転すると、ファン１５も回転する。上述したように、ファン１５は、通気口３１ａに対向する。このため、出力軸１２ａがＢ方向に回転すると、例えばファン１５から通気口３１ａに向けて風が送られる。電動機１２の出力軸１２ａがＢ方向に回転することにより、筐体３１の外の空気が通気口３１ａから筐体３１の内部に入る。また、筐体３１の内部の空気が通気口３１ｂから筐体３１の外に出る。即ち、ファン１５は、出力軸１２ａが回転することにより、通気口３１ａを通過する気流を発生させる。
【００３６】
一方、電動機１２の出力軸１２ａがＣ方向に回転することにより、ドア１１が閉じられる。電動機１２の出力軸１２ａがＣ方向に回転すると、ファン１５も回転する。例えば、出力軸１２ａがＣ方向に回転すると、通気口３１ａからファン１５に向かう気流が発生する。このため、筐体３１の外の空気が通気口３１ｂから筐体３１の内部に入る。また、筐体３１の内部の空気が通気口３１ａから筐体３１の外に出る。ドア１１が閉じられる時にも、ファン１５は、通気口３１ａを通過する気流を発生させる。
【００３７】
本実施の形態に示す例でも、ファン１５が回転することによって制御盤１８が冷却される。ファン１５を駆動するための力は、電動機１２から供給される。このため、実施の形態２に示す例であれば、簡単な機構によって制御盤１８を冷却することができる。
【００３８】
本実施の形態に示す例でも、ドア１１が開く時及び閉じる時にファン１５が回転する。このため、本実施の形態に示す例は、制御盤１８が半導体素子３２を備える場合に好適である。
【産業上の利用可能性】
【００３９】
この発明は、制御盤を備えたエレベーターのかごに適用できる。
【符号の説明】
【００４０】
１  かご、  ２  つり合いおもり、  ３  昇降路、  ４  主ロープ、  ５  巻上機、  ６  駆動綱車、  ７  制御装置、  ８  乗場、  ９  ドア、  １０  かご室、  １０ａ  出入口、  １１  ドア、  １２  電動機、  １２ａ  出力軸、  １３  レール、  １３ａ  端部、  １３ｂ  端部、  １４  プーリ、  １５  ファン、  １６  ベルト、  １６ａ  上部分、  １６ｂ  下部分、  １７ａ  連結部材、  １７ｂ  連結部材、  １８  制御盤、  １９  照明器具、  ２１  パネル、  ２２  パネル、  ２３  ハンガー、  ２４  ローラ、  ２５  ハンガー、  ２６  ローラ、  ３１  筐体、  ３１ａ  通気口、  ３１ｂ  通気口、  ３２  半導体素子
【図１】
2019234844.tif 000003
【図２】
2019234844.tif 000004
【図３】
2019234844.tif 000005
【図４】
2019234844.tif 000006
【図５】
2019234844.tif 000007
【国際調査報告】
2019234844.tif 000008
2019234844.tif 000009
2019234844.tif 000010